(57)【要約】【目的】郵便物から水で濡らしてはがした切手をきれいに乾燥仕上げることができるようにした切手水はがし装置及びその方法の提供。【構成】平滑剥離板体１と多数の通気間隙部２５を備えた板状部材２３で形成して多数の通気孔２を有した切手押え剥離板体３とより成り、更に平滑剥離板体１上には切手押え剥離板体３を着脱自在に載置するようにしたものであり、又容器部と、該容器部に着脱被蓋する蓋体を有した容器体と、容器部には水を入れる水入れ容器を備え、更に蓋体には周縁に凸条部を有した扁平天板部を備えると共に該扁平天板部の上面には平滑剥離板体を着脱自在に載置し、又更に平滑剥離板体上には多数の通気孔を有した切手押え剥離板体を着脱自在に載置するようにしたことを特徴としている。【選択図】              図１
2004151198.tif 000002
【特許請求の範囲】
【請求項１】
平滑剥離板体１と多数の通気間隙部２５を備えた板状部材２３で形成して多数の通気孔２を有した切手押え剥離板体３とより成り、更に平滑剥離板体１上には切手押え剥離板体３を着脱自在に載置するようにしたことを特徴とする切手水はがし装置。
【請求項２】
ポリエチレンなどの高分子化合物より成る合成繊維・合成樹脂で無数の網目孔２１を有した網状シート体２２で切手押え網状平板体２６を形成し、更に切手押え網状平板体２６を板状部材２３の下面に備えて板状部材２３と切手押え網状平板体２６とで多数の通気孔２を有した切手押え剥離板体３を形成したことを特徴とする請求項（１）記載の切手水はがし装置。
【請求項３】
平滑剥離板体１の一端縁と切手押え網状平板体２６の一端縁とを接合した接合部２８を設けて切手押え網状平板体２６が平滑剥離板体１の上面に接合部２８を支点として回動接離できるようにしたことを特徴とする請求項  （２）記載の切手水はがし装置。
【請求項４】
ポリエチレンなどの高分子化合物より成る合成繊維・合成樹脂で無数の網目孔２１を有した網状シート体２２で切手押え網状袋体２４を形成し、更に切手押え網状袋体２４内に板状部材２３を封入して多数の通気孔２を有した切手押え剥離板体３を形成したことを特徴とする請求項（１）記載の切手水はがし装置。
【請求項５】
容器部４と、該容器部４に着脱被蓋する蓋体５とを有した容器体６とより成り、且つ容器部４には水を入れる水入れ容器７とを備え、更に蓋体５の上面部２９には平滑剥離板体１と切手押え剥離板体３を着脱自在に載置するようにしたことを特徴とする請求項（１）（２）（３）（４）記載の切手水はがし装置。
【請求項６】
容器部４と、該容器部４に着脱被蓋する蓋体５とを有した容器体６とより成り、且つ容器部４には水を入れる水入れ容器７とを備え、更に蓋体５の上面部周縁に凸条部８を有した扁平天板部９を備えると共に該扁平天板部９の上面には平滑剥離板体１を着脱自在に載置し、又更に平滑剥離板体１上には多数の通気孔２を有した切手押え剥離板体３を着脱自在に載置するようにしたことを特徴とする請求項（１）（２）（３）（４）記載の切手水はがし装置。
【請求項７】
郵便物１６に貼着した切手１７のまわりに少しゆとり部１８を残して切りとり切手１７を貼着した切りとり郵便片１９を形成し、次に切手１７を貼着した切りとり郵便片１９を温水又は常温等の水２０を入れた水容器７に入れて浸し、次に切りとり郵便片１９より切手１７をはがして水を含んだはがれ切手１０を取出し、次に平滑剥離板体１の表面とはがれ切手１０の表面とを当接させると共にはがれ切手１０の裏面が上面に位置するようにしてはがれ切手１０を平滑剥離板体１の表面に載置し、次にはがれ切手１０を載置した平滑剥離板体１上に多数の通気孔２を有した切手押え剥離板体３を載置してはがれ切手１０を平滑剥離板体１と切手押え剥離板体３とで挟持して水を含んだはがれ切手１０を乾燥させることを特徴とする切手水はがし方法。
【発明の詳細な説明】
【０００１】
【産業上の利用分野】
この発明は郵便物に貼着している切手を温水又は常温等の水で濡らしてはがし、そのはがした切手をきれいに乾燥仕上げることができるようにした切手水はがし装置及びその方法に関するものである。
【０００２】
【従来の技術】
従来より図１２乃至図１４に図示したように郵便物１６に貼着した切手１７のまわりに少しゆとり部１８を残して切りとり切手１７を貼着した切りとり郵便片１９を形成し、この切手１７を貼着した切りとり郵便片１９を水で濡らし、更に図示していないが切手をはぎとり、はがした切手をもう１〜２回水に入れて糊気をよくとり、古新聞などに数日挟んで乾燥仕上げを行い切手を趣味として集めることは知られている。
【０００３】
【発明が解決しようとする問題点】
ところが従来より知られている郵便物１６に貼着した切手１７のまわりに少しゆとり部１８を残して切りとり切手１７を貼着した切りとり郵便片１９を形成し、この切手１７を貼着した切りとり郵便片１９を水で濡らして切手１７をはぎとり、更にはがした切手をもう１〜２回水に入れて糊気をよくとり、古新聞などで挟んで乾燥仕上げを行い切手を趣味として集めることは、はがした切手を１〜２回水に入れて糊気をよくとるために長い時間水につけて切手の色が落ちたり、図案がはげてしまうことがあり、又更にはがした切手の乾燥を古新聞の上などで挟んで乾燥仕上げるようにしたことで、はがした切手に破れ、折れ、皺、よごれ等が生じ美麗に仕上げることが簡便にできない等の欠点があった。
【０００４】
この発明は上記の問題点を解決したもので、温水又は常温等の水で濡らして切手をはぎとり乾燥仕上げるようにするに際して、はがした切手が色が落ちたり、図案がはげてしまうことがなく、更にはがした切手に破れ、折れ、皺、よごれ等が生じることなく極めて簡単な手段できれいに仕上げることができるようにしたもので操作が容易で使い勝手が良く使用上極めて取扱いが好適である切手水はがし装置及びその方法を得ることを目的としたものである。
【０００５】
【問題点を解決するための手段】
上記の目的を達成するためにこの発明は、平滑剥離板体１と多数の通気間隙部２５を備えた板状部材２３で形成して多数の通気孔２を有した切手押え剥離板体３とより成り、更に平滑剥離板体１上には切手押え剥離板体３を着脱自在に載置するようにしたものである。
【０００６】
又、ポリエチレンなどの高分子化合物より成る合成繊維・合成樹脂で無数の網目孔２１を有した網状シート体２２で切手押え網状平板体２６を形成し、更に切手押え網状平板体２６を板状部材２３の下面に備えて板状部材２３と切手押え網状平板体２６とで多数の通気孔２を有した切手押え剥離板体３を形成したものである。
【０００７】
又、平滑剥離板体１の一端縁と切手押え網状平板体２６の一端縁とを接合した接合部２８を設けて切手押え網状平板体２６が平滑剥離板体１の上面に接合部２８を支点として回動接離できるようにしたものである。
【０００８】
又、ポリエチレンなどの高分子化合物より成る合成繊維・合成樹脂で無数の網目孔２１を有した網状シート体２２で切手押え網状袋体２４を形成し、更に切手押え網状袋体２４内に板状部材２３を封入して多数の通気孔２を有した切手押え剥離板体３を形成したものである。
【０００９】
又、容器部４と、該容器部４に着脱被蓋する蓋体５とを有した容器体６とより成り、且つ容器部４には水を入れる水入れ容器７とを備え、更に蓋体５の上面部２９には平滑剥離板体１と切手押え剥離板体３を着脱自在に載置するようにしたものである。
【００１０】
又、容器部４と、該容器部４に着脱被蓋する蓋体５とを有した容器体６とより成り、且つ容器部４には水を入れる水入れ容器７とを備え、更に蓋体５の上面部周縁に凸条部８を有した扁平天板部９を備えると共に該扁平天板部９の上面には平滑剥離板体１を着脱自在に載置し、又更に平滑剥離板体１上には多数の通気孔２を有した切手押え剥離板体３を着脱自在に載置するようにしたものである。
【００１１】
又、郵便物１６に貼着した切手１７のまわりに少しゆとり部１８を残して切りとり切手１７を貼着した切りとり郵便片１９を形成し、次に切手１７を貼着した切りとり郵便片１９を温水又は常温等の水２０を入れた水容器７に入れて浸し、次に切りとり郵便片１９より切手１７をはがして水を含んだはがれ切手１０を取出し、次に平滑剥離板体１の表面とはがれ切手１０の表面とを当接させると共にはがれ切手１０の裏面が上面に位置するようにしてはがれ切手１０を平滑剥離板体１の表面に載置し、次にはがれ切手１０を載置した平滑剥離板体１上に多数の通気孔２を有した切手押え剥離板体３を載置してはがれ切手１０を平滑剥離板体１と切手押え剥離板体３とで挟持して水を含んだはがれ切手１０を乾燥させるようにしたものである。
【００１２】
【実施例】
以下図面についてこの発明の実施例を説明すると、平滑剥離板体１と多数の通気間隙部２５を備えた板状部材２３で形成して多数の通気孔２を有した切手押え剥離板体３とより成り、更に平滑剥離板体１上には切手押え剥離板体３を着脱自在に載置するようにしたものであるが、図示した平滑剥離板体１は平滑板１１の上面に剥離シート１２を接着して形成したものであり、温水又は常温等の水に濡らしてはがれ切手１０である濡れた状態の切手を剥離シート１２上に置けば水の為にはがれ切手１０は剥離シート１２に貼り付けられた状態になるもので、剥離シート１２であるために乾燥後又は濡れた状態にかかわらず剥離が容易にできるものである。
【００１３】
なお、板状部材２３は両端支持杆１３，１３の下部間に多数の通気間隙部２５を備えてはがれ切手１０と離れ易い剥離層を表面に設けた架設杆１４の多数本を取付け、多数本の架設杆１４ではがれ切手１０が妄りに剥離シート１２より外れないようにしたものであるが、板状部材２３は図示した構造に限定されるものではない。
【００１４】
又、図１に図示した切手押え剥離板体３は多数の通気間隙部２５を備えた板状部材２３自体のみで多数の通気孔２を有した切手押え剥離板体３としたものである（図１参照）。
【００１５】
又、容器部４と、該容器部４に着脱被蓋する蓋体５とを有した容器体６とより成り、且つ容器部４には水を入れる水入れ容器７とを備え、更に蓋体５の上面部２９には平滑剥離板体１と切手押え剥離板体３を着脱自在に載置するようにしたものであり、且つ図示した容器部４には水を入れる水入れ容器７の他に水を入れないもろもろの整理用容器１５を備えたものであり、且又容器体６は携帯移動が可能な厚さのものとしたものである（図２、図３参照）。
【００１６】
又、他の実施例に於いて容器部４と、該容器部４に着脱被蓋する蓋体５とを有した容器体６とより成り、且つ容器部４には水を入れる水入れ容器７とを備え、更に蓋体５の上面部周縁に凸条部８を有した扁平天板部９を備えると共に該扁平天板部９の上面には平滑剥離板体１を着脱自在に載置し、又更に平滑剥離板体１上には多数の通気孔２を有した切手押え剥離板体３を着脱自在に載置するようにしたものである（図４〜図６参照）。
【００１７】
又、ポリエチレンなどの高分子化合物より成る合成繊維・合成樹脂で無数の網目孔２１を有した網状シート体２２で切手押え網状平板体２６を形成し、更に切手押え網状平板体２６を板状部材２３の下面に備えて板状部材２３と切手押え網状平板体２６とで多数の通気孔２を有した切手押え剥離板体３を形成したものである（図７参照）。
【００１８】
又、平滑剥離板体１の一端縁と切手押え網状平板体２６の一端縁とを接合した接合部２８を設けて切手押え網状平板体２６が平滑剥離板体１の上面に接合部２８を支点として回動接離できるようにしたものである（図８参照）。
なお、図示していないが板状部材２３の一端縁と切手押え網状平板体２６の一端縁とを接合した接合部を設けて切手押え網状平板体２６が板状部材２３の下面に接合部を支点として回動接離できるようにすることも可能である。
【００１９】
又、ポリエチレンなどの高分子化合物より成る合成繊維・合成樹脂で無数の網目孔２１を有した網状シート体２２で切手押え網状袋体２４を形成し、更に切手押え網状袋体２４内に板状部材２３を封入して多数の通気孔２を有した切手押え剥離板体３を形成したものである（図９参照）。
【００２０】
又、網状シート体２２の一方面部２７を平面状としたことによって切手押え網状平板体２６及び切手押え網状袋体２４の形成に際してこの平面状とした一方面部２７が平滑剥離板体１に当接するように形成したことで平滑剥離板体１上に載置したはがれ切手１０を安定よく押えて、はがした切手に破れ、折れ、皺、よごれ等が生じることなく美麗に仕上げ乾燥することができるものである（図１０、図１１参照）。
【００２１】
又、この発明方法の実施例については、郵便物１６に貼着した切手１７のまわりに少しゆとり部１８を残して切りとり切手１７を貼着した切りとり郵便片１９を形成し、次に切手１７を貼着した切りとり郵便片１９を温水又は常温等の水２０を入れた水容器７に入れて浸し、次に切りとり郵便片１９より切手１７をはがして水を含んだはがれ切手１０を取出し、次に平滑剥離板体１の表面とはがれ切手１０の表面とを当接させると共にはがれ切手１０の裏面が上面に位置するようにしてはがれ切手１０を平滑剥離板体１の表面に載置し、次にはがれ切手１０を載置した平滑剥離板体１上に多数の通気孔２を有した切手押え剥離板体３を載置してはがれ切手１０を平滑剥離板体１と切手押え剥離板体３とで挟持して水を含んだはがれ切手１０を乾燥させるようにしたものである。
【００２２】
【発明の作用効果】
この発明は以上のような構成であり、平滑剥離板体１と多数の通気間隙部２５を備えた板状部材２３で形成して多数の通気孔２を有した切手押え剥離板体３とより成り、更に平滑剥離板体１上には切手押え剥離板体３を着脱自在に載置するようにしたので平滑剥離板体１上に温水又は常温等の水２０に濡らした郵便物１６又は切りとり郵便片１９よりはがしたものである濡れた状態のはがれ切手１０を置き、更に切手押え板体３を載置すれば濡れた状態のはがれ切手１０は通気孔２を介して水分が除去され乾燥したはがれ切手１０を得ることができるものである。
【００２３】
又、温水又は常温等の水に濡らしてはがしたはがれ切手１０である濡れた状態のはがれ切手１０を置くところが平滑剥離板体１上であるので水の為にはがれ切手１０は剥離シート１２に貼り付けられた状態になるもので乾燥後にはがれ切手１０を平滑剥離板体１上より離せば皺が出ることなく美麗なものとなり、はがれ切手１０をきれいに仕上げることができるものである。
【００２４】
又、切手押え剥離板体３を設けたことで乾燥したはがれ切手１０が妄りに平滑剥離板体１より外れて紛失するようなことがないものである。
【００２５】
又、切手押え剥離板体３をポリエチレンなどの高分子化合物より成る合成繊維・合成樹脂で無数の網目孔２１を有した網状シート体２２で切手押え網状平板体２６を形成し、更に手押え網状シート体２６を板状部材２３の下面に備えて板状部材２３と切手押え網状シート体２６とで多数の通気孔２を有した切手押え剥離板体３を形成したことによって濡れた状態のはがれ切手１０を安定よく押さえてはがれ切手１０が乾燥中に妄りに湾曲して変形することがなく平らな状態で美麗に乾燥させることができるものである。
【００２６】
又、ポリエチレンなどの高分子化合物より成る合成繊維・合成樹脂で無数の網目孔２１を有した網状シート体２２で切手押え網状平板体２６を形成し、更に切手押え網状平板体２６を板状部材２３の下面に備えて板状部材２３と切手押え網状平板２６とで多数の通気孔２を有した切手押え剥離板体３を形成し、又更に平滑剥離板体１の一端縁と切手押え網状平板体２６の一端縁とを接合した接合部２８を設けて切手押え網状平板体２６が平滑剥離板体１の上面に接合部２８を支点として回動接離できるようにしたものであり、切手押え網状平板体２６が平滑剥離板体１に対して位置ずれするようなことがなく濡れた状態のはがれ切手１０を安定よく押さえてはがれ切手１０が乾燥中に妄りに湾曲して変形することがなく平らな状態で美麗に乾燥させることができるものである。
【００２７】
又、切手押え剥離板体３をポリエチレンなどの高分子化合物より成る合成繊維・合成樹脂で無数の網目孔２１を有した網状シート体２２で切手押え網状袋体２４を形成し、更に切手押え網状袋体２４内に板状部材２３を着脱自在に挿入して多数の通気孔２を有した切手押え剥離板体３を形成したので多数の通気孔２を有した切手押え剥離板体３を形成するための複雑な操作を行うことなく濡れた状態のはがれ切手１０を切手押え剥離板体３に備えた網状シート体２２で安定よく押さえてはがれ切手１０が乾燥中に妄りに湾曲して変形することがなく平らな状態で美麗に乾燥させることができるものである。
【００２８】
又、容器部４と、該容器部４に着脱被蓋する蓋体５を有した容器体６とより成り、容器部４には温水又は常温等の水を入れる水入れ容器７を備え、更に蓋体５の上面部２９には平滑剥離板体１を着脱自在に載置し、又更に平滑剥離板体１上には多数の通気孔２を有した切手押え剥離板体３を着脱自在に載置するようにしたので別途はさみと水を用意するのみで郵便物１６に貼着した切手１７のまわりに少しゆとり部１８を残して切りとるか、又は切りとることなく郵便物１６に貼着した切手１７の部分を水で濡らして切手１７をはぎとり水に濡れたはがれ切手１０の乾燥仕上げをする作業を簡単に行うことができるものであるが、水を入れる水入れ容器７を備えた容器部４に着脱被蓋する蓋体５を有して形成した容器体６は携帯移動が可能な厚さのものとすることで使用者の都合の良い場所で切手水はがし作業を行うことができるものである。
【００２９】
又、容器部４と、該容器部４に着脱被蓋する蓋体５を有した容器体６とより成り、容器部４には温水又は常温等の水を入れる水入れ容器７を備え、更に蓋体５には周縁に凸条部８を有した扁平天板部９を備えたことで蓋体５上に平滑剥離板体１と切手押え剥離板体３を安定よく装着することができて水に濡れたはがれ切手１０の乾燥及び乾燥したはがれ切手１０の風等による飛散紛失を阻止して切手の収集による楽しみを助長することができるものである。
【００３０】
又、郵便物１６が大きい封筒の場合には郵便物１６に貼着した切手１７のまわりに少しゆとり部１８を残して切りとり切手１７を貼着した切りとり郵便片１９を形成し、次に切手１７を貼着した切りとり郵便片１９を温水又は常温等の水２０を入れた水容器７に入れて浸し、次に切りとり郵便片１９より切手１７をはがして水を含んだはがれ切手１０を取出し、次に平滑剥離板体１の表面とはがし切手１０の表面とを当接させると共にはがれ切手１０の糊がついている裏面が上面に位置するようにしてはがれ切手１０を平滑剥離板体１の表面に載置するようにしたことによって切りとり郵便片１９に貼着されている切手１７をはがすことができる状態となる短い時間切手１７を水中に入れておけばよいのではがした切手が色が落ちたり、図案がはげてしまうことがなく、更に水を含んだはがれ切手１０ははがれ切手１０の裏面である糊がついている面が上に位置してはがれ切手１０を載置した平滑剥離板体１上に多数の通気孔２を有した切手押え剥離板体３を載置してはがれ切手１０を平滑剥離板体１と切手押え剥離板体３とで挟持して水を含んだはがれ切手１０を乾燥させるものであるので、はがれ切手１０に残っている糊気がはがれ切手１０の乾燥に伴って固くなり、腰が強く破れ、折れ、皺、よごれ等がない美麗な切手を得ることができたものである。
【００３１】
以上のようにこの発明は極めて簡単な手段で温水又は常温等の水で濡らして切手をはぎとり乾燥仕上げるようにする作業を簡単に行うことができて切手の収集による楽しみを助長することができるものであると共に使い勝手が良く使用上極めて取扱いが好適であるなど幾多の産業的効果を奏するものである。
【図面の簡単な説明】
【図１】平滑剥離板体と切手押え剥離板体を形成した板状部材とを分離した状態を示した斜視図である。
【図２】平滑剥離板体と切手押え剥離板体を形成した板状部材とを容器体の蓋体に装着した状態を示した斜視図である。
【図３】容器体で蓋体を外して容器部内を示した斜視図である。
【図４】平滑剥離板体と切手押え剥離板体を形成した板状部材とを容器体の凸条部を有した蓋体に装着した状態を示した斜視図である。
【図５】平滑剥離板体と切手押え剥離板体を形成した板状部材とを凸条部を有した蓋体より外した状態を示した蓋体の斜視図である。
【図６】平滑剥離板体と切手押え剥離板体を形成した板状部材とはがれ切手とを凸条部を有した蓋体に装着した状態を示した断面図である。網状シート体の一部切欠平面図である。
【図７】平滑剥離板体と切手押え剥離板体を形成した板状部材及び切手押え網状平板体とを分離した状態を示した斜視図である。
【図８】平滑剥離板体と切手押え網状平板体とを接合すると共に切手押え剥離板体を分離した状態を示した斜視図である。
【図９】平滑剥離板体と板状部材を切手押え網状袋体に挿入して形成した切手押え剥離板体とを分離した状態を示した斜視図である。
【図１０】網状シート体の一部切欠平面図である。
【図１１】図１０におけるＡ−Ａ拡大断面図である。
【図１２】郵便物の平面図である。
【図１３】切手片の平面図である。
【図１４】水を入れた水容器に切手片を入れた状態を示した側面図である。
【符号の説明】
１  平滑剥離板体
２  通気孔
３  切手押え剥離板体
４  容器部
５  蓋体
６  容器体
７  水容器
８  凸条部
９  扁平天板部
１０  はがれ切手
１１  平滑板
１２  剥離シート
１３  両端支持杆
１４  架設杆
１５  整理用容器
１６  郵便物
１７  切手
１８  ゆとり部
１９  切りとり郵便片
２０  水
２１  網目孔
２２  網状シート体
２３  板状部材
２４  切手押え網状袋体
２５  通気間隙部
２６  切手押え網状平板体
２７  一方面部
２８  接合部
２９  上面部
【図１】
2004151198.tif 000003
【図２】
2004151198.tif 000004
【図３】
2004151198.tif 000005
【図４】
2004151198.tif 000006
【図５】
2004151198.tif 000007
【図６】
2004151198.tif 000008
【図７】
2004151198.tif 000009
【図８】
2004151198.tif 000010
【図９】
2004151198.tif 000011
【図１０】
2004151198.tif 000012
【図１１】
2004151198.tif 000013
【図１２】
2004151198.tif 000014
【図１３】
2004151198.tif 000015
【図１４】
2004151198.tif 000016